(57)【要約】【課題】重量のあるカップ容器であっても手が滑るおそれの少ない、持ちやすいカップホルダを提供する。【解決手段】片面段ボールに、段２１に略垂直な方向に線状に段２１を押し潰すことにより罫線２６を設ける。こうして罫線２６を設けた片面段ボールを帯状に切り出し、段面を外側にして目的とするカップ容器の形状に沿うように輪を形成して両端を固定する。これにより、カップホルダ３０が完成する。【選択図】  図４
2004168345.tif 000002
【特許請求の範囲】
【請求項１】
段を段に略垂直な方向に線状に押し潰すことにより形成した罫線を設けた片面段ボールを使用し、帯状にした該片面段ボールの段の面を外側にして、目的とするカップ容器の形状に沿うように輪を形成して両端を固定したことを特徴とするカップホルダ。
【請求項２】
上記段の方向が輪の軸方向に略平行であることを特徴とする請求項１に記載のカップホルダ。
【請求項３】
一方の面が凹凸面、他方の面が平滑面である片面凹凸紙を使用し、帯状にした該片面凹凸紙の平滑面を内側として、目的とするカップ容器の形状に沿うように輪を形成して両端を固定するとともに、該平滑面の一部にホットメルト接着剤を付着させたことを特徴とするカップホルダ。
【請求項４】
一方の面が凹凸面、他方の面が平滑面である片面凹凸紙を使用し、帯状にした該片面凹凸紙の平滑面を内側として、目的とするカップ容器の形状に沿うように輪を形成して両端を固定するとともに、該平滑面の一部に弱粘着剤を付着させたことを特徴とするカップホルダ。
【請求項５】
上記片面凹凸紙が片面段ボールであることを特徴とする請求項３又は４に記載のカップホルダ。
【請求項６】
上記片面凹凸紙が片面エンボス紙であることを特徴とする請求項３又は４に記載のカップホルダ。
【発明の詳細な説明】
【０００１】
【発明の属する技術分野】
本発明は、逆円錐台状のカップ容器に装着する紙製の断熱カップホルダに関する。
【０００２】
【従来の技術】
従来、一部のファーストフード店などでは、ホットコーヒーなど熱い液体を入れた容器に、発泡プラスチックや段ボール、エンボス紙等の断熱効果の高い素材で製作したカップホルダと呼ばれるものを装着していた。これにより、容器の熱が手に直接伝わるのが防止され、カップ容器を長時間持つことができるという利点がある（例えば、特許文献１及び特許文献２参照）。
【０００３】
【特許文献１】
特開２０００−２２９６７７号公報（［０００７］、図２）
【特許文献２】
米国特許第５，２０５，４７３号公報
【０００４】
【発明が解決しようとする課題】
特許文献１に記載のカップホルダは片面段ボールを使用しているが、そのライナ（平滑）面を外側としているため、カップ容器が重い場合や大きい場合には手が滑りやすいという問題がある。
【０００５】
それに対し、特許文献２に記載のカップホルダは同じく片面段ボールを使用するものの、段面を外側としているため、上記のような平滑面よりは手が滑るおそれが少ない。しかし、段の方向が上下方向となっているため、カップ容器が重い場合にはやはり容器が下に滑り落ちるおそれがある。なお、当然であるが、段ボールを円筒状のカップ容器にきれいに巻き付けようとすれば、段の向きを上下方向とせざるを得ない。
【０００６】
従来のカップホルダにおけるもう一つの問題は、カップ容器を手に持っている間はカップホルダは容器に確実に装着されているものの、容器をテーブル等に置くと、カップホルダが自重により下へ落ちてしまうということである。そのため、使用者は容器を持つ度にカップホルダを容器へ装着し直さなければならない。
【０００７】
本発明はこれらの課題を解決するために成されたものであり、その第１の目的とするところは、重いカップ容器に装着した場合でも手が滑るおそれが少なく、持ちやすいカップホルダを提供することにある。
【０００８】
また、本発明の第２の目的とするところは、一度装着すると容易には容器から外れないようなカップホルダを提供することにある。
【０００９】
【課題を解決するための手段】
上記第１の目的を解決するために成された第１の発明に係るカップホルダは、段を段に略垂直な方向に線状に押し潰すことにより形成した罫線を設けた片面段ボールを使用し、帯状にした該片面段ボールの段の面を外側にして、目的とするカップ容器の形状に沿うように輪を形成して両端を固定したことを特徴とする。
【００１０】
上記第２の目的を解決するために成された第２の発明に係るカップホルダは、一方の面が凹凸面、他方の面が平滑面である片面凹凸紙を使用し、帯状にした該片面凹凸紙の平滑面を内側として、目的とするカップ容器の形状に沿うように輪を形成して両端を固定するとともに、該平滑面の一部にホットメルト接着剤を付着させたことを特徴とする。
【００１１】
上記のホットメルト接着剤の代わりに、弱粘着剤を用いてもよい。
【００１２】
【発明の実施の形態及び効果】
第１発明に係るカップホルダで用いる罫線入り段ボール１０を図１に示す。図１に示すように、段１１にほぼ垂直な方向に段１１を線状につぶすことにより罫線１２を形成する。第１発明に係るカップホルダは、このような片面段ボール１０を帯状に切り出し、段面を外側にして、目的とするカップ容器の形状に沿うように輪を形成して両端を固定することにより作製する。
【００１３】
前記の通り、カップホルダをカップ容器にきれいに巻き付けるためには、段１１の方向を輪の軸方向（カップ容器の上下方向）に略一致させることが望ましい。この場合、罫線１２はカップ容器の周方向に走ることになるため、この罫線１２が滑り止めの役割を果たし、カップ容器が手から滑り落ちることを防止する。特に重いカップ容器の場合、このような滑り防止策は有効である。
【００１４】
なお、段１１を輪の周方向（カップ容器の周方向）にし、罫線１２を軸方向にしてもよい。このようにすると、カップ容器との密着性は犠牲になるものの、高い滑り止めの効果を得ることができる。この場合には、後述の第２発明を用いてカップホルダをカップ容器に接着することにより、密着性の問題を解決することができる。
【００１５】
第２発明に係るカップホルダは、片面凹凸紙の平滑面を内側として、その一部にホットメルト接着剤を付着させる。ホットメルト接着剤は常温では接着能を持たないため、カップホルダを折り畳んだ状態ではカップホルダの内側同士が接着してしまうことはない。一方、熱い内容物を入れた容器に装着すると、ホットメルト接着剤が溶融し、カップホルダが容器に接着される。このため、カップホルダを装着した状態で容器を置いても、カップホルダが容器から落ちることはない。
【００１６】
ホットメルト接着剤としては、一般に使用されているものをいずれも使用することができるが、カップホルダを古紙として再利用することを考慮すると、古紙再生に障害とならない（古紙再生の過程で紙と分離しやすい）ＥＶＡ（エチレン・酢酸ビニル）系ホットメルト接着剤や、湿気硬化型ＰＵＲ（ポリウレタン）系ホットメルト接着剤等が望ましい。
【００１７】
ホットメルト接着剤の溶融温度は、カップ容器の内容物を考慮すると、７０〜８０℃程度に設定することが望ましい。
【００１８】
ホットメルト接着剤の代わりに弱粘着剤を用いた場合、カップホルダを折り畳んだ状態ではカップホルダの内側同士が接着するが、その接着力が弱いため、使用する際には僅かの力で開いて輪にすることができ、問題となることはない。カップ容器に装着した時には、カップホルダは容器の外面に弱い力で接着する。この接着力は弱いが、カップホルダ自体の重量も小さいため、カップ容器を机等の上に置いても上記同様カップホルダが自重で落ちることはない。
【００１９】
弱粘着剤を用いた場合、容器に入れる内容物の温度に関係なくカップホルダを容器に固定することができる。すなわち、ホットコーヒー等の熱い飲み物だけでなく、かき氷やアイスクリーム等の冷たい内容物を入れた容器に対しても上記効果を得ることができる。
【００２０】
弱粘着剤としては、一般に市販されているものをいずれも使用することができる。
【００２１】
【実施例１】
第１発明の第１の実施例である片面段ボール製カップホルダの展開図を図２に示す。本実施例のカップホルダは、湾曲した１枚の帯状の片面段ボール紙片２０から成る。紙片２０の長さＬ及び幅Ｈ、そして上辺２２及び下辺２３の湾曲の曲率半径Ｒ１、Ｒ２は、装着する目的のカップ容器の寸法に応じて決定する。紙片２０は、図２に示すように段２１が紙片２０の長手方向にほぼ垂直になるように切り出す。また、両端２４、２５は段２１にほぼ平行になるようにする。こうすることにより、この紙片２０を大量生産する工程において、両端２４、２５を側壁で規制しながら紙片２０を段方向に移送すれば、紙片２０が傾くことなく真っ直ぐに走行するようになり、不良品の発生や工程の停止事故が防止される。
【００２２】
この片面段ボール紙片２０には、上辺２２及び下辺２３に平行に罫線２６を設けておく。罫線２６は、原段ボールから紙片２０を切り出す際に同時に、線状の押圧金具で押さえることにより形成するのが効率的である。もちろん、その前の原段ボールの段階で形成しておいてもよいし、紙片２０を切り出した後に形成してもよい。
【００２３】
紙片２０の中央線を挟む両側には、図２に示すようにミシン目２７、２８を入れておく。そして、一方の端部２４に接着剤２９を付け、両ミシン目２７、２８において、その両側を中央に向けて、段２１が表側となるように折り畳む。これにより、図３に示すように、両端が中央で重なって固定され、カップホルダ３０が完成する。
【００２４】
組み立てたカップホルダ３０を容器３１に装着した状態を図４に示す。罫線２６は上辺２２及び下辺２３に平行に設けられているため、容器３１に装着した状態ではほぼ水平となる。カップホルダ３０の内面は平滑面であるため、容器３１に確実に密着している。一方、片面段ボールの段２１がカップホルダ３０の表面側となっているため、使用者は容器３１を確実に把持することができる。また、段２１が縦方向となっているため、大きい容器を掴む場合でも指が周方向に滑ることがなく、さらに、横方向に罫線２６が設けられているため、指が上下に滑る（カップ容器３１が下に落ちる）ことも防止される。
【００２５】
また図５に別の実施例（第２実施例）として、図４と同じく段ボールの段２１の向きは縦方向であるが、罫線２６を紙片２０の上下辺に平行ではなく、段２１に対して垂直に形成した段ボールを用いたカップホルダ４０を示す。容器３１に装着した状態では罫線２６はやや斜め方向となるが、上下方向の指の滑り（カップ容器３１の滑り落ち）を防止する効果は十分に備えている。このような罫線２６は原段ボールの段階で一律に形成しておくことができるため、低コスト化に寄与する。
【００２６】
更に別の実施例（第３実施例）として、段２１の方向を周方向にし、罫線２６を軸方向にしたカップホルダ５０を図６に示す。カップ容器３１との密着性は犠牲になるものの、特に上下方向において高い滑り止めの効果を得ることができる。また、側面が多面体で構成されているため、全体的につかみやすい。
【００２７】
【実施例２】
第２発明の実施例であるカップホルダを説明する。本実施例のカップホルダは図４、図５の例と同じく片面段ボールを使用し、外側を段面、内側をライナ（平滑）面としたものである。本実施例のカップホルダでは、素材である紙片６１を折り曲げる前の段階で（図２の紙片２０を参照）、図７に示すようにライナ面の一部にホットメルト接着剤６２を少し付着させておく。付着方法としては、紙片製造ラインの途中にホットメルト接着剤の吐出口を設け、走行中の紙片６１に付着させるようにするのが効率的である。ホットメルト接着剤６２は付着後は速やかに固化し、図３に示すように折り畳んでカップホルダを形成しても、内側で接着することはない。
【００２８】
このカップホルダを、図８に示すように熱い内容物を入れた容器３１に装着すると、内容物の熱によりホットメルト接着剤６２が溶融し、カップホルダ６０と容器３１とが接着する。このため、カップホルダ６０を装着した状態で容器を置いても、カップホルダ６０が容器３１から下へ落ちることはない。
【００２９】
なお、第１発明と第２発明は、もちろん同時に実施することも可能である。
【図面の簡単な説明】
【図１】罫線入り片面段ボールの斜視図。
【図２】第１発明の第１実施例のカップホルダの展開図。
【図３】第１実施例のカップホルダの完成図。
【図４】第１実施例のカップホルダをカップ容器に装着した状態の斜視図。
【図５】第２実施例のカップホルダをカップ容器に装着した状態の斜視図。
【図６】第３実施例のカップホルダをカップ容器に装着した状態の斜視図。
【図７】第２発明の実施例であるカップホルダの展開図。
【図８】同実施例のカップホルダをカップ容器に装着する状態の斜視図。
【符号の説明】
１０…片面段ボール
１１…段
１２…罫線
２０…片面段ボール紙片
２１…段
２２…上辺
２３…下辺
２４、２５…端部
２６…罫線
２７、２８…ミシン目
２９…接着剤
３０、４０、５０、６０…カップホルダ
３１…カップ容器
６１…紙片
６２…ホットメルト接着剤
【図１】
2004168345.tif 000003
【図２】
2004168345.tif 000004
【図３】
2004168345.tif 000005
【図４】
2004168345.tif 000006
【図５】
2004168345.tif 000007
【図６】
2004168345.tif 000008
【図７】
2004168345.tif 000009
【図８】
2004168345.tif 000010